(57)【要約】【課題】  配管の耐久性及び利便性の向上を実現可能な圧縮空気用電磁式ドレントラップの配管方法の提供を図る。【解決手段】  レシーバタンクのドレン排出口と電磁式ドレントラップのドレン流入口とを繋ぐ配管中の少なくとも１箇所以上に、両端に接続部を有する可撓性配管材を配管する。可撓性配管材における少なくとも一方の接続部が、脱着のために単独で回転可能な６乃至１０の偶数個の角よりなる締結ナットの形状を有し、その内周面に雌螺子が形成された配管継手部材から成る。【選択図】図1
2015105576.tif 000002
【特許請求の範囲】
【請求項１】
空気圧縮機が吐出する圧縮空気による空気圧回路に接続されるレシーバタンクのドレン排出口と、該レシーバタンクにドレンを除去するべく接続される電磁式ドレントラップのドレン流入口とを接続するための配管方法であって、
前記レシーバタンクのドレン排出口と前記電磁式ドレントラップのドレン流入口とを繋ぐ配管中の少なくとも１箇所以上に、両端に接続部を備えた可撓性配管材を備えて成り、
前記接続部の少なくとも一方が、脱着のために単独で回転可能な６乃至１０の偶数個の角よりなる締結ナットの形状であって、その内周面に雌螺子が形成された配管継手部材から成ることを特徴とする圧縮空気用電磁式ドレントラップの配管方法。
【発明の詳細な説明】
【技術分野】
【０００１】
本発明は、圧縮空気内のドレンを除去するための方法に関し、詳しくは、空気圧縮機が吐出する圧縮空気より発生するドレンを除去するための方法に関するものである。さらに詳しくは、空気圧縮機の吐出する圧縮空気を貯留するためのレシーバータンクと、該レシーバタンクよりドレンを排出するべく設置される電磁式ドレントラップとの間のドレン排出のための配管方法に関する。
【背景技術】
【０００２】
空気圧縮機が吐出する圧縮空気は、凝縮水たるドレンを発生させる。前記ドレンは、圧縮空気の利用に際し邪魔なだけでなく、回路中に接続される機器の故障の原因となったり、回路末端で放出されてしまうこともあるため、適宜排出されることが望ましく、そのための装置としてはドレントラップが挙げられる。
【０００３】
ところで、空気圧縮機が吐出した圧縮空気は、一度レシーバタンクに貯留されることが多く、該レシーバタンクはラインの所定中間箇所に、多くは空気圧縮機になるべく近い箇所に設置される。
【０００４】
空気圧縮機が圧縮空気を吐出する際は、圧縮熱が発生し温度が高いため飽和水蒸気量が大きいが、配管路を通り前記レシーバタンクに貯留されると次第に冷却され、該レシーバタンク内には多くのドレンが発生・貯留することとなる。
【０００５】
かかるレシーバタンク内で発生・貯留したドレンを排出すべく、従来より該レシーバタンクのドレン排出口に電磁式ドレントラップを接続し、ドレンを排出することが一般的であった。
【０００６】
ところが、前記レシーバタンクのドレン排出口は、該レシーバタンクの底部に備えられ、その高さは、該レシーバタンクが設置されるグランドラインより５０〜３００ｍｍ程度のものが一般的であり、電磁式ドレントラップのドレン流入口を直接接続することは、機器の大きさや高さを考慮すると、非常に困難であった。
【０００７】
前述の問題を解決させるために、従来は、図１や図２、図５や図６、図９や図１０に示すように、前記レシーバタンク１のドレン排出口１ａと、該レシーバタンク１と同じグランドラインに設置される電磁式ドレントラップ２の流入口２ａとを、ユニオン３ａ、金属製の直管３、エルボ３ｂ等を適宜組合せ、配管・設置していた。
【０００８】
しかしながら、上述の配管方法によると、電磁式ドレントラップの電磁弁の開閉振動や周囲の振動による配管の共振により、配管の接続部のゆるみによるシール不良や該電磁式ドレントラップの部品の脱落・劣化などによる故障が起こりやすかった。また、配管中の接続箇所も多く、メンテナンス性の悪化や、さらなるシール不良にもつながっていた。
【先行技術文献】
【特許文献】
【０００９】
【特許文献１】特開平１１−１３２１４５号公報
【発明の概要】
【発明が解決しようとする課題】
【００１０】
本発明は、上述の問題点に鑑み、配管の耐久性及び利便性の向上を実現可能な圧縮空気用電磁式ドレントラップの配管方法を提供することを課題とする。
【課題を解決するための手段】
【００１１】
上記課題を解決するため、本発明は、空気圧縮機が吐出する圧縮空気による空気圧回路に接続されるレシーバタンクのドレン排出口と、該レシーバタンクにドレンを除去するべく接続される電磁式ドレントラップのドレン流入口とを接続するための配管方法であって、レシーバタンクのドレン排出口と電磁式ドレントラップのドレン流入口とを繋ぐ配管中の少なくとも１箇所以上に、両端に接続部を備えた可撓性配管材を配管して成り、該接続部の少なくとも一方が、脱着のために単独で回転可能な６乃至１０の偶数個の角よりなる締結ナットの形状であって、その内周面に雌螺子が形成された配管継手部材から成る配管方法を採用している。
【発明の効果】
【００１２】
本発明にかかる圧縮空気用電磁式ドレントラップの配管方法によれば、可撓性配管材を採用することで、レシーバタンクのドレン排出口と電磁式ドレントラップの流入口との配管が可撓範囲内で部材を増やすことなく、Ｘ軸、Ｙ軸及びＺ軸の三次元において自由に配管することが可能である。すなわち、配管中の接続箇所の削減、シール不良を起こす確率の削減及び配管作業の効率化が図られ、耐久性及び利便性の双方に資するという優れた効果を奏する。
【００１３】
また、本発明にかかる圧縮空気用電磁式ドレントラップの配管方法によれば、可撓性配管材を採用することで、配管材の有する可撓性により、ドレントラップの電磁弁の開閉振動や周囲の振動との共振を吸収することができる。すなわち、配管のゆるみによるシール不良、電磁式ドレントラップの故障を回避でき、耐久性の向上に資するという優れた効果を奏する。
【００１４】
さらに、本発明にかかる圧縮空気用電磁式ドレントラップの配管方法によれば、可撓性配管材の両端に備えられた接続部のうち少なくとも一方の接続部が、脱着のために単独で回転可能な６乃至１０の偶数個の角よりなる締結ナットの形状であって、その内周面に雌螺子が形成された配管継手部材を有して成ることで、該配管継手部材を回転させるのみで機器を取外し可能である。すなわち、設置時やメンテナンス時に機器自体を接続のために回転させずとも容易に配管可能となり、利便性向上に資するという優れた効果を奏する。
【図面の簡単な説明】
【００１５】
【図１】レシーバタンクのドレン排出口と電磁式ドレントラップのドレン流入口が同じ高さである場合の従来の実施形態を示す側面図である。
【図２】レシーバタンクのドレン排出口と電磁式ドレントラップのドレン流入口が同じ高さである場合の従来の実施形態を示す平面図である。
【図３】レシーバタンクのドレン排出口と電磁式ドレントラップのドレン流入口が同じ高さである場合の本発明にかかる圧縮空気用電磁式ドレントラップの配管方法の実施形態を示す側面図である。
【図４】レシーバタンクのドレン排出口と電磁式ドレントラップのドレン流入口が同じ高さである場合の本発明にかかる圧縮空気用電磁式ドレントラップの配管方法の実施形態を示す平面図である。
【図５】レシーバタンクのドレン排出口が電磁式ドレントラップのドレン流入口より高さがある場合の従来の実施形態を示す側面図である。
【図６】レシーバタンクのドレン排出口が電磁式ドレントラップのドレン流入口より高さがある場合の従来の実施形態を示す平面図である。
【図７】レシーバタンクのドレン排出口が電磁式ドレントラップのドレン流入口より高さがある場合の本発明にかかる圧縮空気用電磁式ドレントラップの配管方法の実施形態を示す側面図である。
【図８】レシーバタンクのドレン排出口が電磁式ドレントラップのドレン流入口より高さがある場合の本発明にかかる圧縮空気用電磁式ドレントラップの配管方法の実施形態を示す平面図である。
【図９】レシーバタンクのドレン排出口が電磁式ドレントラップのドレン流入口より低い高さである場合の従来の実施形態を示す側面図である。
【図１０】レシーバタンクのドレン排出口が電磁式ドレントラップのドレン流入口より低い高さである場合の従来の実施形態を示す平面図である。
【図１１】レシーバタンクのドレン排出口が電磁式ドレントラップのドレン流入口より低い高さである場合の本発明にかかる圧縮空気用電磁式ドレントラップの配管方法の実施形態を示す側面図である。
【図１２】レシーバタンクのドレン排出口が電磁式ドレントラップのドレン流入口より低い高さである場合の本発明にかかる圧縮空気用電磁式ドレントラップの配管方法の実施形態を示す平面図である。
【発明を実施するための形態】
【００１６】
本発明は、空気圧縮機が吐出する圧縮空気による空気圧回路に接続されるレシーバタンク１のドレン排出口１ａと、該レシーバタンク１にドレンを除去するべく接続される電磁式ドレントラップ２のドレン流入口２ａとを接続するための配管方法であって、前記レシーバタンク１のドレン排出口１ａと前記電磁式ドレントラップ２のドレン流入口２ａとを繋ぐ配管中の少なくとも１箇所以上に、両端に接続部４ａを備えた可撓性配管材４を配管して成り、該接続部４ａの少なくとも一方が、脱着のために単独で回転可能な６乃至１０の偶数個の角よりなる締結ナットの形状であって、その内周面に雌螺子が形成された配管継手部材４ｂから成ることを最大の特徴とする。
以下、本発明にかかる圧縮空気用電磁式ドレントラップの配管方法の実施形態を、図面に基づいて説明する。
【００１７】
なお、本発明にかかる圧縮空気用電磁式ドレントラップの配管方法は、以下に述べる実施形態に特に限定されるものではなく、本発明の技術的思想の範囲内、すなわち同一の作用効果を発揮できる形状や材質等の範囲内で適宜変更することができる。
【００１８】
レシーバタンク１は、空気圧縮機が吐出した圧縮空気を貯留するものであって、内部に貯留したドレンを外部に排出するためのドレン排出口１ａを有し、多くの場合には、バルブ・継手類１ｂを備え、多くの場合、電磁式ドレントラップ２の方に向かって雄ネジが備えられている。
【００１９】
電磁式ドレントラップ２は、圧縮空気圧回路中に貯留したドレンを排出させるためのものであって、ドレン流入口２ａを有し、該ドレン流入口２ａより流入したドレンを何らかの開弁指令信号に基づき電磁弁を開閉させ、排出する。
【００２０】
ここで、本発明による配管方法は、可撓性配管材４によりレシーバタンク１のドレン排出口１ａもしくはバルブ・継手類１ｂと電磁式ドレントラップ２のドレン排出口２ａの間を配管するもので、夫々の接続のために該可撓性配管材４の両端には接続部４ａが備えられてなる。
【００２１】
なお、可撓性配管材４は、可撓性と使用に支障のない耐圧性があれば事足り、そのようなものには、天然ゴムもしくは合成ゴムからなる耐圧ゴムホース、樹脂からなるプラスチックチューブ及び金属からなるメタルホースなどが挙げられる。振動の吸収という観点から鑑みると、可撓性に加え弾性を有する耐圧ゴムホースがより望ましい。
【００２２】
さらになお、前記接続部４ａは、内周面に雌螺子が形成され、脱着のために単独で回転可能な６乃至１０の偶数個の角よりなる締結ナットの形状を有する配管継手部材４ｂからなることが望ましい。該接続部４ａに配管継手部材４ｂを使用することにより、脱着の際に配管継手部材４ｂを回転させるだけで機器の脱着が行え、そのようなものには、ユニオン、ユニオンナット、袋ナット、及びフレアナットなどがあげられ、例えばユニオンは、ＪＩＳ−Ｂ２３０１によれば、ナット、つば及びネジは六角、八角、十角とされている。
【００２３】
前述の説明を踏まえ、以下に図面に基づいて各々の実施例を比較する。
【００２４】
図１から図４は、レシーバタンク１のドレン排出口１ａと電磁式ドレントラップ２のドレン流入口２ａが同じ高さである場合の実施例の比較である。
【００２５】
図１及び図２は、従来の配管方法を示しており、レシーバタンク１のドレン排出口１ａよりバルブ・継手類１ｂ、ユニオン３ａ及び直管３を記載の順序で電磁式ドレントラップ２のドレン流入口２ｂに配管していた。
【００２６】
図３及び図４は、本発明の配管方法を示しており、レシーバタンク１のドレン排出口１ａよりバルブや継手類１ｂ、接続部４ａ、可撓性配管材４及び接続部４ａを記載の順序で電磁式ドレントラップ２のドレン流入口２ａに配管する。
【００２７】
上述の図３及び図４に示す本発明にかかる実施例によれば、図1及び図２に示す従来例で起こり得た各々の配管やその接続部の振動及び共振によるシール不良、電磁式ドレントラップの故障を効果的に防止することができる。
【００２８】
図５から図８は、レシーバタンク１のドレン排出口１ａが、電磁式ドレントラップ２のドレン流入口２ａより高い位置に配置されている場合の実施例である。
【００２９】
図５及び図６は、従来の配管方法を示しており、レシーバタンク１のドレン排出口１ａよりバルブ・継手類１ｂ、ユニオン３ａ、エルボ３ｂ、直管３、エルボ３ｂ及び直管３を記載の順序で電磁式ドレントラップ２のドレン流入口２ａに配管していた。すなわち、エルボ３ｂは、専ら、レシーバタンク１のドレン排出口１ａと電磁式ドレントラップ２のドレン流入口２ａとの高さ位置の相違を調節すべく供される。
【００３０】
図７及び図８は、本発明の配管方法を示しており、レシーバタンク１のドレン排出口１ａよりバルブ・継手類１ｂ、接続部４ａ、可撓性配管材４及び接続部４ａを記載の順序で電磁式ドレントラップ２のドレン流入口２ａに配管する。
【００３１】
上述の図７及び図８に示す本発明にかかる実施例によれば、図５及び図６に示す従来例で起こり得た各々の配管やその接続部の振動及び共振によるシール不良、電磁式ドレントラップの故障を効果的に防止することができると共に、配管部材と該配管部材の接続作業の削減も実現される。
【００３２】
図９から図１２は、レシーバタンク１のドレン排出口１ａが、電磁式ドレントラップ２の流入口２ａより低い位置に配置されている場合の実施例である。
【００３３】
図９及び図１０は、従来の配管方法を示しており、レシーバタンク1のドレン排出口１ａよりバルブ・継手類１ｂ、ユニオン３ａ、エルボ３ｂ、直管３、エルボ３ｂ及び直管３を記載の順序で電磁式ドレントラップ２のドレン流入口２ａに配管していた。すなわち、エルボ３ｂは、専ら、レシーバタンク１のドレン排出口１ａと電磁式ドレントラップ２のドレン流入口２ａとの高さ位置の相違を調節すべく供される。
【００３４】
図１１及び図１２は、本発明の配管方法を示しており、レシーバタンク1の排出口１ａよりバルブ・継手類１ｂ、接続部４ａ、可撓性配管材４及び接続部４ａを記載の順序で電磁式ドレントラップ２のドレン流入口２ａに配管する。
【００３５】
上述の図１１及び図１２に示す本発明にかかる実施例によれば、図９及び図１０に示す従来例で起こり得た各々の配管やその接続部の振動及び共振によるシール不良、電磁式ドレントラップの故障を効果的に防止することができると共に、配管部材と該配管部材の接続作業の削減も実現される。
【産業上の利用可能性】
【００３６】
本発明は、圧縮空気用電磁式ドレントラップの配管方法において、あらゆる箇所のレシーバタンク１のドレン排出口１ａと電磁式ドレントラップ２の流入口２ａを接続する場合に採用することが可能であって、本発明における「圧縮空気用電磁式ドレントラップの配管方法」の産業上の利用可能性は大であると思料する。
【符号の説明】
【００３７】
１    レシーバタンク
１ａ  ドレン排出口
１ｂ  バルブ・継手類
２    電磁式ドレントラップ
２ａ  ドレン流入口
３    直管
３ａ  ユニオン
３ｂ  エルボ
４    可撓性配管材
４ａ  接続部
４ｂ  配管継手部材
【図１】
2015105576.tif 000003
【図２】
2015105576.tif 000004
【図３】
2015105576.tif 000005
【図４】
2015105576.tif 000006
【図５】
2015105576.tif 000007
【図６】
2015105576.tif 000008
【図７】
2015105576.tif 000009
【図８】
2015105576.tif 000010
【図９】
2015105576.tif 000011
【図１０】
2015105576.tif 000012
【図１１】
2015105576.tif 000013
【図１２】
2015105576.tif 000014
【手続補正書】
【提出日】平成26年8月18日(2014.8.18)
【手続補正１】
【補正対象書類名】明細書
【補正対象項目名】０００７
【補正方法】変更
【補正の内容】
【０００７】
前述の問題を解決させるために、従来は、図１や図２、図５や図６、図９や図１０に示すように、前記レシーバタンク１のドレン排出口１ａと、該レシーバタンク１と同じグランドラインに設置される電磁式ドレントラップ２のドレン流入口２ａとを、ユニオン３ａ、金属製の直管３、エルボ３ｂ等を適宜組合せ、配管・設置していた。
【手続補正２】
【補正対象書類名】明細書
【補正対象項目名】００２０
【補正方法】変更
【補正の内容】
【００２０】
ここで、本発明による配管方法は、可撓性配管材４によりレシーバタンク１のドレン排出口１ａもしくはバルブ・継手類１ｂと電磁式ドレントラップ２のドレン流入口２ａの間を配管するもので、夫々の接続のために該可撓性配管材４の両端には接続部４ａが備えられてなる。
【手続補正３】
【補正対象書類名】明細書
【補正対象項目名】００３２
【補正方法】変更
【補正の内容】
【００３２】
図９から図１２は、レシーバタンク１のドレン排出口１ａが、電磁式ドレントラップ２のドレン流入口２ａより低い位置に配置されている場合の実施例である。
【手続補正４】
【補正対象書類名】明細書
【補正対象項目名】００３３
【補正方法】変更
【補正の内容】
【００３３】
図９及び図１０は、従来の配管方法を示しており、レシーバタンク１のドレン排出口１ａよりバルブ・継手類１ｂ、ユニオン３ａ、エルボ３ｂ、直管３、エルボ３ｂ及び直管３を記載の順序で電磁式ドレントラップ２のドレン流入口２ａに配管していた。すなわち、エルボ３ｂは、専ら、レシーバタンク１のドレン排出口１ａと電磁式ドレントラップ２のドレン流入口２ａとの高さ位置の相違を調節すべく供される。
【手続補正５】
【補正対象書類名】明細書
【補正対象項目名】００３４
【補正方法】変更
【補正の内容】
【００３４】
図１１及び図１２は、本発明の配管方法を示しており、レシーバタンク１のドレン排出口１ａよりバルブ・継手類１ｂ、接続部４ａ、可撓性配管材４及び接続部４ａを記載の順序で電磁式ドレントラップ２のドレン流入口２ａに配管する。
【手続補正６】
【補正対象書類名】明細書
【補正対象項目名】００３６
【補正方法】変更
【補正の内容】
【００３６】
本発明は、圧縮空気用電磁式ドレントラップの配管方法において、あらゆる箇所のレシーバタンク１のドレン排出口１ａと電磁式ドレントラップ２のドレン流入口２ａを接続する場合に採用することが可能であって、本発明における「圧縮空気用電磁式ドレントラップの配管方法」の産業上の利用可能性は大であると思料する。